(57)【特許請求の範囲】
【請求項１】
カップワイヤーを有する衣類の前中心部に縫着される布テープ又は身生地に合成樹脂で構成される前方に突出する軸部を一体成形し、左右カップワイヤーの前中心部の端部に貫通孔を穿設し、その貫通孔を軸部に嵌入して左右カップワイヤーを回動自在にすると共に、軸頭部に係合する蓋体の嵌脱によってカップワイヤーを着脱自在にしたことを特徴とするカップワイヤーを有する衣類。
【発明の詳細な説明】
【０００１】
【発明の属する技術分野】
本発明は、ブラジャー、ボディスーツなどのファンデーションあるいはブラスリップなどのランジェリーもしくはレオタード、水着のスポーツ衣料などのようにカップワイヤーを有する衣類に関するものである。
【０００２】
【従来の技術】
従来から、上記のようなカップワイヤーを有する衣類、例えば、その代表的なブラジャーは、通常、前中心で連結された左右のカップ部と、そのカップ部の下に縫着されている土台布と、カップ部の外側部に縫着され脇部から後身にかけて延出しているバック布と、そのバック布に取り付けられた肩紐とにより構成されており、土台布には伸び難い生地を用い、バック布と肩紐には伸縮性の良い生地を用いて縫着されている。
【０００３】
そして、着用時には、バック布の伸縮性による締め付け作用により脇部から後身を密着固定すると共に、カップ部を伸縮性の肩紐で吊り上げて保持し、土台布によりアンダーバストを安定させて装着するように設計されている。言い換えれば、着用時にカップ部の下辺湾曲部の形状に沿って配設されたカップワイヤーによりバストを固定するよう設計されている。
【０００４】
【発明が解決しようとする課題】
このような従来のブラジャーは、バック布および肩紐などの伸縮性によって、身体の動きに対するブラジャーのズレを吸収しているが、日常生活において、例えば、背伸びをしたり、腕を上げたりする動作をすれば土台布が上方向にズレ上がると共に、カップワイヤーの位置がズレ上がったりする。
【０００５】
これは前面を伸びにくい土台布の生地で構成し、着用時の安定性を残りの伸縮性生地による土台布の張りのバランスによって保たれているからである。したがって、瞬間的にでも、このバランスが崩れるとブラジャーのズレとして現れ、着用時に不快感を生じる。
【０００６】
このバランスの崩れは、スポーツ等の激しい運動時に限られるばかりでなく、日常の簡単な動作によっても発生する。このズレを防止するために、バック布の張力を増すことが考えられるが、締め付けがきつくなるほど長時間着用した際に血行不良、低温火傷といった弊害を起こすと言う問題点があった。
【０００７】
本発明は、上記の問題を解決することを課題として開発されたもので、衣類の胸元の前中心部に設けた軸部に、左右のカップワイヤーを回動自在に取り付け、左右の乳房の大きさの相違や形の違いなど身体の特長あるいは身体の動きにより生じる変化に対応することができ、違和感のない、着用感が極めて良好なカップワイヤーを有する衣類を提供することを目的とするものである。
【０００８】
【課題を解決するための手段】
上記の課題を解決し、その目的を達成する手段として、本発明では、カップワイヤーを有する衣類の前中心部に縫着される布テープ又は身生地に合成樹脂で構成される前方に突出する軸部を一体成形し、左右カップワイヤーの前中心部の端部に貫通孔を穿設し、その貫通孔を軸部に嵌入して左右カップワイヤーを回動自在にすると共に、軸頭部に係合する蓋体の嵌脱によってカップワイヤーを着脱自在にしたことを特徴とするカップワイヤーを有する衣類を開発し、採用した。
【０００９】
【発明の実施の形態】
以下に、本発明の実施の形態をカップワイヤーを有する代表的な衣類であるブラジャーについて説明するが、本発明はブラジャーのみに限定されるものではなく、図示していないが、例えば、ブラスリップ、ボディスーツ、レオタードおよび水着などのバストを支えるカップワイヤーを有し、バストの保形、成形などの造形機能を必要とする衣類であれば、いずれにも適用できるものである。
【００１０】
図１〜図９は本発明の実施の形態を示すもので、１はブラジャー本体の前中心部に設けられた前方に突出する合成樹脂製の軸部であり、この軸部１は、前中心部に縫着される布テープまたはブラジャー本体の身生地２に合成樹脂で構成された円柱状のもので一体成形で取り付けられている。
【００１１】
上記の軸部１は、図８に示すように、底板１ａと帯片１ｂと蓋体１ｃが一体に形成されており、蓋体１の中央部には軸頭部膨出部１ｄと係合する切り欠き１ｅを設けてある。１ｆは指摘み片である。
【００１２】
３ａ，３ｂはその軸部１に取り付けられる鋼製あるいはプラスチック製のカップワイヤーで、図４〜図６に示すように、バストの下辺湾曲部に沿う形状に成形されており、前中心部の端部を拡大頭部４とすると共に、その拡大頭部４に軸部１に嵌入する大きさの円形の貫通孔５が穿設されている。
【００１３】
この円形の貫通孔５を有する鋼製のカップワイヤーは、線材をプレス加工することによって一工程で容易に製作でき、またプラスチック製のカップワイヤーは、射出成形加工で簡単に作ることができる。
【００１４】
なお、前述のカップワイヤー３は、１本の線材で形成されたものであったが、図５、図６に示すように、先端部の拡大頭部４に円形の貫通孔５を穿設した金属製またはプラスチック製のキャップ６を、カップワイヤー３の前中心端部に嵌着し、鋼製のカップワイヤーの場合はカシメ加工で一体化したもの、プラスチック製のカップワイヤーの場合は溶着や接着で一体化したカップワイヤー３を用いることもある。
【００１５】
このように構成した本発明の実施形態の使用例を説明すると、脇側部を筒状布Ｃに収納した後、ブラジャーの前中心部に縫着される布テープ又は身生地に合成樹脂で構成される前方に突出する軸部１に、左右のカップワイヤー３ａ，３ｂの前中心部の端部に穿設した円形の貫通孔５を嵌入し、蓋体１ｃの指摘み片１ｆを摘んで切り欠き１ｅが軸部１の頭部膨出部１ｄに当るように被せれば頭部膨出部１ｄが切り欠き１ｅより突出した状態で係止できる。そして、軸部１を中心として左右のカップワイヤー３ａ，３ｂが回動自在になる。
【００１６】
また、左右カップワイヤー３ａ，３ｂを取り外す場合は、指摘み片１ｆを摘んで上方に引き起こすように引っ張れば、切り欠き１ｅが頭部膨出部１ｄの係止から解くことができ、左右のカップワイヤー３ａ，３ｂを外すことができる。このようにこの実施の形態においては、左右のカップワイヤー３ａ，３ｂを蓋体１ｃの嵌脱により着脱でき、ブラジャーを着用したままの状態で着脱できる便利さがある。
【００１７】
例えば、図７Ａに示すように、右乳房Ａより左乳房Ｂのボリュームが大きくて脇側に広がっている場合には、左のカップワイヤー３ｂが軸部１を中心として２点鎖線で示すように、外方に回動してその乳房の形状に応じ変形して良好にフイットする。また、図７Ｂに示すように、右乳房Ａが左乳房Ｂより脇部内側に寄っている場合には、右のカップワイヤー３ａが軸部１を中心として２点鎖線で示すように内方に回動してその乳房の形状に応じ変形して良好にフイットする。
【００１８】
また、スポーツ等の運動で左乳房Ｂの形態が脇側に流れて移動したときには、図７Ｃに示すように、左のカップワイヤー３ｂが軸部１を中心としてその流れに応じて２点鎖線に示すように外方に回動し、保形すると共に乳房に良好にフイットする。
【００１９】
以上、本発明の主要な実施の形態について説明したが、本発明は上記実施の形態に限定されるものではなく、本発明の目的を達成でき、かつ本発明の要旨を逸脱しない範囲で種々の設計変更が可能である。
【００２０】
【発明の効果】
以上のように、本発明は、左右の乳房のボリューム相違や形状相違があったとしても、その形状に応じてカップワイヤーが回動して変形するので乳房に良好にフイットする。また、身体を動かした時の胸の変形などによっても、カップワイヤーがその変形に応じて回動し、自然な着用感を得ることができ長時間着用していても快適な着用感となる。さらに、軸頭部に係合する蓋体の嵌脱によってカップワイヤーを着脱自在にしたものであるから、洗濯時にカップワイヤーを簡単に取り外すことができ変形を防止できる。また、バストに適合しないカップワイヤ-の取替えが容易にできて、バストに適合したカップワイヤーを選ぶことができフイット感が良くなると共に、タンスなどに収納する時に、カップワイヤーを外しておけば小さくなって収納が容易になる。さらに、ブラジャーを着用したままの状態で着脱できる便利さがある。
【図面の簡単な説明】
【図１】  本発明の簡略正面図である。
【図２】  その一部拡大正面図である。
【図３】  図１のＡ−Ａ線拡大断面図である。
【図４】  カップワイヤーの正面図である。
【図５】    キャップの斜視図である。
【図６】  キャップと接合一体化したカップワイヤーの正面図である。
【図７】  使用状態を示す簡略正面図である。
【図８】  取り付け状態を示す簡略斜視図である。
【図９】  係合状態を示す簡略斜視図である。
【符号の説明】
１    軸部
１ｃ  蓋体
１ｄ  軸頭部
２    身生地
３    カップワイヤー
３ａ  右カップワイヤー
３ｂ  左カップワイヤー
５      貫通孔
【図１】
0003639251.tif 000002
【図２】
0003639251.tif 000003
【図３】
0003639251.tif 000004
【図４】
0003639251.tif 000005
【図５】
0003639251.tif 000006
【図６】
0003639251.tif 000007
【図７】
0003639251.tif 000008
【図８】
0003639251.tif 000009
【図９】
0003639251.tif 000010